(57)【要約】【課題】トランクルームの利用に関する利便性を向上させること、トランクルームの設置場所の多様化、及びコンビニエンスストア、郵便局、ドラッグストアやホームセンターの建つ土地の有効利用。【解決手段】単体で存在するコンビニエンスストア、郵便局、ドラッグストアやホームセンターを改造し、上部にトランクルームを設置する。それらトランクルームを管理するセントラル管理システムを構築し、全国の利用状況を管理する。利用者は身近なトランクルームまで荷物を運搬または宅配便で輸送する。コンビニエンスストアなどのレジで利用の受付を行い、トランクルームの鍵を受け取る。上部へ上がって荷物をトランクルーム内の規定のボックスに納める。荷物を納入したら、鍵をレジに返却する。荷物を受け取る際は、１日前にインターネットや電話でトランクルームからの出し入れ場所を指定。セントラル管理システムにより、希望の立地へトランクボックスを移動。【選択図】図１
2005226427.tif 000002
【特許請求の範囲】
【請求項１】
コンビニエンスストア、郵便局、ドラッグストア又はホームセンターの上部に設置されたトランクルーム又は物置。
【請求項２】
トランクルームをオンラインシステムで運営、管理する、全国ネットワークを有する管理システム。
【請求項３】
電話、携帯電話やパソコンを使用しインターネットや電話を通じてトランクルームを管理する予約・管理システム。
【請求項４】
利用者が荷物を詰め、サインをしたシールを貼って封印するトランクルーム用組立ボックス。
【発明の詳細な説明】
【技術分野】
【０００１】本発明は、トランクルーム利用者の利便性を向上及びコンビニエンスストア、郵便局、ドラッグストア、やホームセンターの土地の有効利用を図ったトランクルームに関する。
【背景技術】
【０００２】従来のトランクルームの問題点は、ビルの空き室や郊外の未利用地などに限られており、またその形態も単独で土地の上に設置された方法、あるいは駐車場の上部に設置されたものに限られていた。（例えば、特公平１３−２２６７９６号広報参照）
【発明の開示】
【発明が解決しようとする課題】
【０００３】解決しようとする問題は、従来のトランクルームは住宅地からは一般的に遠く、利用するには不便であった。またトランクルームの事業者は、ビルの空室や郊外の未利用地などを限られた場所でしかトランクルームを展開できなかった。更に、利用時間も制限されていた。本発明は、これらの問題点を解決するためになされたものである。
【課題を解決するための手段】
【０００４】本発明は、このような従来の立地が有していた問題を解決するものであり、コンビニエンスストア、郵便局、ドラッグストアやホームセンターの上部にトランクルーム又は物置を設け、フランチャイズすることにより全国展開する。トランクルームはシステム管理センターが集中管理し、トランクルームがないコンビニエンスストアやスペースが埋まっているところでも荷物を受け付けることができるようにする。センターへの情報発信は、コンビニエンスストアのＰＯＳシステムなどのネットワークを活用する。また、身近な場所で、駐車場や宅配システムを完備し２４時間利用可能とすることにより、トランクルームの利用に関する利便性を飛躍的に向上させることを目的とするものである。
【発明の効果】
【０００５】本発明の効果として、トランクルームとコンビニエンスストアや郵便局、ドラッグストア、ホームセンターを融合することにより、身近なコンビニエンスストアなどでトランクルームの機能を利用することができ、利用者の利便性の向上につながる。同時にコンビニエンスストアなどの経営者にとっては空間の有効利用につながり、新たな収益源となる。
【発明を実施するための最良の形態】
【０００６】以下、本発明の形態及び実施例を説明する。
図１に示されるように、コンビニエンスストア１の上部にトランクルーム又は物置２を設置する。さらに、コンビニエンスストアの側面または後部にエレベーターと非常階段３を設ける。エレベーターと非常階段はトランクルーム又は物置のドアに直結している。図２に示される実施例では、コンビニエンスストアの建物の内部にエレベーターを設置し、上部に設置したトランクルームへ上がれる仕組みになっている。【０００７】図３は、エレベーターと非常階段を外付けした場合のコンビニエンスストアの売場部分を示している。エレベーターと非常階段はレジの脇の入口から遠いほうに設置する。エレベーターと非常階段前には防犯カメラを設置する。図４は、エレベーターと非常階段をコンビニエンスストア内に取り付けた場合のコンビニエンスストアの売場部分を示している。エレベーターと非常階段はレジの脇の入口から遠いほうに設置する。エレベーターと非常階段前には防犯カメラを設置する。図５は、エレベーターと非常階段を外付けした場合のトランクルームが設置された階を示している。室内には、利用者ごとに区切られたトランクルームボックスが並び、通気口、防犯カメラ、ファンがとりつけられている。図６は、エレベーターと非常階段をコンビニエンスストア内に取り付けた場合のトランクルームが設置された階を示している。室内には、利用者ごとに区切られたトランクルームボックスが並び、通気口、防犯カメラ、ファンがとりつけられている。【０００８】図７は、システム管理センターを示している。コンビニエンスストアが経営するトランクルームはネットワークでセントラル管理センターとつながっている。図８は、利用者の予約のシステムを示している。トランクルームの利用者はコンピュータや携帯電話機または一般電話を用いて、システム管理センターへトランクルームの予約を行う。その際、管理システムは受付ＩＤを利用者へ伝える。図９は、利用者がトランクルームへ直接荷物を納めない場合、利用者が使用する組立ボックスを示している。組立ボックスには、利用者がサインをしたテープを貼り封印する。図１０は、トランクルームに空きがあるコンビニエンスストアに利用者が荷物を持参した場合の実施例を示している。利用者は、コンビニエンスストアのレジで受付ＩＤを伝え、支払を済ませ、トランクルームボックスの鍵を受け取る。トランクルームへ荷物を収納後、利用者はトランクルームボックスの鍵をコンビニエンスストアのレジに返却する。トランクルームへ預けた荷物を取り出すとき、またはサービスを終了する際も同様に手続する。【０００９】本発明は以上の構成からなる。
本発明を使用するときは、利用者はシステム管理センターへ携帯電話、一般電話、コンピュータを通じて予約を行う。利用者は、自分で荷物を納めるか、宅配輸送システムを利用するかを選ぶ。
自分で荷物を納める場合は、トランクルームに空きがあるコンビニエンスストアへ行き、レジで受付ＩＤを伝え、トランクルームの鍵を受け取る。エレベーターでトランクルームの階層へ上がり、指定されたトランクルームボックスに荷物を納める。作業が終了したら、エレベーターでコンビニエンスストアの階層へ降りて、鍵をレジで返却する。
利用者が宅配便で荷物を送ることを希望した場合、利用者は所定の箱に荷物を収め、著名あるいは捺印をする。箱はトランクルームに空きがあるコンビニエンスストアへ宅配便を使って送る。受け取り先のコンビニエンスストアの従業員あるいは、システム管理センターの従業員が利用者に代わって箱をトランクルームへと納める。
トランクルームの利用者が荷物を別のトランクルームへと移動することを希望する場合は、システム管理センターの従業員が代行する。
トランクルームの利用者が荷物を引き出し、宅配便で自宅などに輸送することを希望する場合は、システム管理センターの従業員が代行する。
【産業上の利用可能性】
【００１０】本発明の活用例として、郵便局やドラッグストア、ホームセンターの上にトランクルームを設置することが考えられる。
【図面の簡単な説明】
【００１１】
【図１】エレベーターと非常階段を外付けした場合のコンビニエンスストとトランクルームを示した概略図ある。
【図２】エレベーターと非常階段をコンビニエンスストアの建物内に取り付けた場合のコンビニエンスストとトランクルームを示した概略図である。
【図３】エレベーターと非常階段を外付けした場合のコンビニエンスストアの売場部分を示した概略図である。
【図４】エレベーターと非常階段をコンビニエンスストアの建物内に取り付けた場合のコンニエンススト売場部分を示した概略図である。
【図５】図５は、エレベーターと非常階段を外付けした場合のトランクルームの階層を示した平面図である。
【図６】エレベーターと非常階段をコンビニエンスストアの建物内に取り付けた場合のトランクルームの階層を示した平面図である。
【図７】図７は、システム管理センターを示した概念図である。
【図８】図８は、利用者の予約のシステムを示したフローチャートである。
【図９】図９は、箱の概略図である。
【図１０】図１０は、シールの平面図である。
【符号の説明】
【００１２】１  コンビニエンスストア
２  トランクルーム
３  非常階段
４  エレベーター
５  通気口
６  防犯カメラ
７  ファン
８  扉
９  トランクルームボックス
１０  レジ
１１  廊下
１２  ネットワーク
１３  シール
【図１】
2005226427.tif 000003
【図２】
2005226427.tif 000004
【図３】
2005226427.tif 000005
【図４】
2005226427.tif 000006
【図５】
2005226427.tif 000007
【図６】
2005226427.tif 000008
【図７】
2005226427.tif 000009
【図８】
2005226427.tif 000010
【図９】
2005226427.tif 000011
【図１０】
2005226427.tif 000012